(57)【要約】【課題】構造が複雑になることなく、簡単な操作で各種の書面やプリント写真などの立て掛け方向を変えることができる卓上スタンドを提供する。【解決手段】傾斜姿勢で起立する縦長の保持板１と、この保持板１の一端部から後方に突出して保持板１を起立状態に支持する横長の支持板２と、前記保持板１の他端部に回動自在として取り付けられ、保持板１の表面に重なり合ったり、保持板１の表面から離間する被覆板３とからなるものとしている。【選択図】図１
0003215068.tif 000002
【実用新案登録請求の範囲】
【請求項１】
傾斜姿勢で起立する縦長の保持板（１）と、この保持板（１）の一端部から後方に突出して保持板１を起立状態に支持する横長の支持板（２）と、前記保持板（１）の他端部に回動自在として取り付けられ、保持板（１）の表面に重なり合ったり、保持板（１）の表面から離間する被覆板（３）とからなることを特徴とする卓上スタンド。
【請求項２】
前記保持板（１）は、縦長の略長方形状とすると共に凸曲面形状としており、前記被覆板（３）は、縦長の略長方形状とすると共に凸曲面形状としており、これら保持板（１）と被覆板（３）の曲率半径を同一にしていることを特徴とする請求項１記載の卓上スタンド。
【請求項３】
前記保持板（１）と支持板（２）とのなす角度（α）を６０〜８５度にしていることを特徴とする請求項２記載の卓上スタンド。
【請求項４】
前記前記支持板（２）は横長の略台形状としており、この支持板（２）の側辺部（２ｂ）と保持板（１）の側辺部（１ｂ）とのなす角度（β）を５〜３０度としていることを特徴とする請求項３記載の卓上スタンド。
【考案の詳細な説明】
【技術分野】
【０００１】
この考案は、各種の案内文、商品説明文などを記載した書面、プリント写真などを立て掛けておく場合に用いられる卓上スタンドに関するものである。
【背景技術】
【０００２】
従来、この種の卓上スタンドとしては、スタンド本体を支える脚体を、長さが異なる二つの辺を有する形状に形成し、スタンド本体の高さ方向の寸法に応じて異なる辺が設置面に接するようにスタンド本体に対し組み替え可能な構造としたフォトスタンドが存在する（特許文献１）。
【０００３】
このようなフォトスタンドでは、スタンド本体の高さ方向の寸法に応じて脚体を組み替えることにより、常に安定した最適の状態で設置することができるとしている。
【０００４】
さらに、この種の卓上スタンドとしては、クリアファイル本体の裏面において、直角方向に二本の組み立て足を設けたフォトスタンドが存在する（特許文献２）。
【０００５】
このようなフォトスタンドでは、直角方向に設けた二本の組み立て足により単体で卓上等に縦横どちらでも自立でき観賞用として使用できるとしている。
【０００６】
また、この種の卓上スタンドとしては、スタンドの背面板部の適所に適当長さと巾と深さから成る凹溝を隣接して直角方向に設け、これらの凹溝内に基端部の軸部を介して起伏し得るように成る脚片をそれぞれ設けた写真立てが存在する（特許文献３）。
【０００７】
このような写真立てでは、直角方向に設けた凹溝の脚片のいずれかを起立させることにより、縦横どちらでも自立させることができるとしている。
【先行技術文献】
【特許文献】
【０００８】
【特許文献１】特開２００４−１２１５５７号公報
【特許文献２】実用新案登録第３１９５９９４号公報
【特許文献３】実用新案登録第３１２４４４８号公報
【考案の概要】
【考案が解決しようとする課題】
【０００９】
上記従来の特許文献１〜３に記載された卓上スタンドでは、各種の書面やプリント写真などを縦方向または横方向の何れにも立て掛けることができる。
【００１０】
しかしながら、特許文献１に記載されたものでは、各種の書面やプリント写真などの立て掛け方向に応じて、スタンド本体を支える脚体を組み替える必要があり、この組み替え操作が面倒であるという課題を有していた。
【００１１】
さらに、特許文献２に記載されたものでは、クリアファイル本体の裏面において、直角方向に二本の組み立て足を設けなければならないため、構造が複雑になると共に、各種の書面やプリント写真などの立て掛け方向に応じて、これら組み立て足のいずれかを起立させる必要があり、この起立させる操作が面倒であるという課題を有していた。
【００１２】
また、特許文献３に記載されたものでは、スタンドの背面板部に凹溝を隣接して直角方向に設け、さらにこれらの凹溝内に脚片を設けなければならないため、構造が複雑になると共に、各種の書面やプリント写真などの立て掛け方向に応じて、これら脚片のいずれかを起立させる必要があり、この起立させる操作が面倒であるという課題を有していた。
【００１３】
そこで、この考案は、上記従来の課題を解決するものであり、構造が複雑になることなく、簡単な操作で各種の書面やプリント写真などの立て掛け方向を変えることができる卓上スタンドを提供することを目的としてなされたものである。
【課題を解決するための手段】
【００１４】
そのため、この考案の卓上スタンドは、傾斜姿勢で起立する縦長の保持板１と、この保持板１の一端部から後方に突出して保持板１を起立状態に支持する横長の支持板２と、前記保持板１の他端部に回動自在として取り付けられ、保持板１の表面に重なり合ったり、保持板１の表面から離間する被覆板３とからなるものとしている。
【００１５】
そして、この考案の卓上スタンドにおいて、前記保持板１は、縦長の略長方形状とすると共に凸曲面形状としており、前記被覆板３は、縦長の略長方形状とすると共に凸曲面形状としており、これら保持板１と被覆板３の曲率半径を同一にしている。
【００１６】
さらに、この考案の卓上スタンドにおいて、前記保持板１と支持板２とのなす角度αを６０〜８５度にしている。
【００１７】
また、この考案の卓上スタンドにおいて、前記支持板２は、横長の略台形状としており、この支持板２の側辺部２ｂと保持板１の側辺部１ｂとのなす角度βを５〜３０度としている。
【考案の効果】
【００１８】
この考案の卓上スタンドは、構造が複雑なものになることなく、しかも単に立てる方向を変えるだけという簡単な操作で、保持板と被覆板を縦方向、横方向、または上方向にして立てておけるので、各種の書面やプリント写真などを縦方向、横方向、または上方向の何れにも立て掛けることができるものとなる。
【図面の簡単な説明】
【００１９】
【図１】この考案の卓上スタンドの一実施形態を示す斜視図である。
【図２】図１に示すこの考案の卓上スタンドの正面図である。
【図３】図１に示すこの考案の卓上スタンドの側面図である。
【図４】図１に示すこの考案の卓上スタンドの底面図である。
【図５】図１に示すこの考案の卓上スタンドの使用状態における被覆板の回動状態を示す斜視図である。
【図６】図１に示すこの考案の卓上スタンドの使用状態の他の例を示す斜視図である。
【図７】図６に示すこの考案の卓上スタンドの使用状態における被覆板の回動状態を示す斜視図である
【図８】図１に示すこの考案の卓上スタンドの使用状態のさらに他の例を示す斜視図である。
【考案を実施するための形態】
【００２０】
以下、この考案の卓上スタンドを実施するための形態を、図面に基づいて詳細に説明する。
【００２１】
この考案の卓上スタンドは、図示したように、傾斜姿勢で起立する縦長の保持板１と、この保持板１の一端部から後方に突出して保持板１を起立状態に支持する横長の支持板２と、前記保持板１の他端部に回動自在として取り付けられ、保持板１の表面に重なり合ったり、保持板１の表面から離間する被覆板３とからなる。
【００２２】
前記保持板１は、表面に各種の書面やプリント写真などを保持するものであり、合成樹脂からなるものとしており、後に述べる支持板２と一体として構成したり別体として構成している。この保持板１は、透明体としても不透明体としてもよい。
【００２３】
さらに、この保持板１は、縦長の略長方形状としており、平面形状としても凸曲面形状としてもよい。図示した保持板１は、凸曲面形状としており、軽量化したり、材料費を低減するため肉抜き開口４を複数個、設けたものとしている。
【００２４】
また、この保持板１と支持板２とのなす角度αを６０〜８５度、好ましくは６５〜７５度にしている。
【００２５】
前記支持板２は、前記保持板１を起立状態に支持するものであり、合成樹脂からなるものとしており、先に述べたように保持板１と一体として構成したり別体として構成している。この支持板２は、透明体としても不透明体としてもよい。
【００２６】
さらに、この支持板２は、横長の略台形状としており、平面形状としている。図示した支持板２は、横長の等脚台形としており、後辺部２ａが保持板１の上辺部１ａと平行になるようにしている。
【００２７】
また、この支持板２の側辺部２ｂと保持板１の側辺部１ｂとのなす角度βを５〜３０度、好ましくは１５〜２５度にしている。
【００２８】
前記被覆板３は、保持板１の表面に重なり合ったり、保持板１の表面から離間するものであり、保持板１の表面に重なり合った状態で、保持板１との間に各種の書面やプリント写真などを挟み込むものであり、図１〜３に示した状態において、その上端部を保持板１の上端部に回動自在として取り付けられている。この被覆板３は、透明体としており、縦長の略長方形状としており、平面形状としても凸曲面形状としてもよい。図示した被覆板３は、凸曲面形状としており、その曲率半径を前記凸曲面形状とした保持板１の曲率半径と同一にしている。保持板１と被覆板３の曲率半径は、１０〜６０ｃｍ、好ましくは３０〜４０ｃｍにしている。
【００２９】
そして、この被覆板３の上端部を保持板１の上端部に回動自在として取り付けるには、これらの上端部どうしと軸支したり、凹凸嵌合している。なお、この被覆板３の側辺部３ｂは、保持板１の側辺部１ｂに略合致するようにしている。
【００３０】
さらに、この被覆板３は、保持板１と重なり合った状態で、自重によってその重なり合った状態を維持することができるが、保持板１の下辺部１ｃの近くの側辺部１ｂに形成した凸部５と、被覆板３の下辺部３ｃの近くの突出片３ｄに形成した孔部６または凹部（図示せず）とを遊嵌合自在とするなどして、その重なり合った状態を確実に維持することができるようにしている。
【００３１】
この考案の卓上スタンドは、以上に述べたよう構成されているため、図１に示したように、保持板１と被覆板３を縦方向に立てたり、図６に示したように、保持板１と被覆板３を上方向にしたり、または図８に示したように、保持板１と被覆板３を横方向に立てたりした状態で使用することができる。
【００３２】
先ず、図１に示したように、保持板１と被覆板３を縦方向に立てた状態で使用するには、支持板２の底面を、例えばテーブルや机などの載置面に接触させるようにして、卓上スタンドを載置する。
【００３３】
そして、被覆板３の下辺部３ｃ、または下辺部３ｃの近くの側辺部３ｂに指を掛けて、図５に示したように、この被覆板３を回動させて保持板１から離間させる。
【００３４】
さらに、保持板１の表面に各種の書面やプリント写真など載せ、被覆板３を逆に回動させて保持板１と重なり合わせれば、この保持板１と被覆板３との間に各種の書面やプリント写真などを挟み込むことができる。各種の書面やプリント写真などは、被覆板３の自重や前記した遊嵌合によって、被覆板３が保持板１と重なり合った状態を維持することができるので、脱落することなく、保持板１と被覆板３との間に立て掛けておくことができる。
【００３５】
この場合、保持板１を凸曲面形状とした場合には、保持板１の表面に各種の書面やプリント写真などが沿った状態で載せられるので、これらが保持板１から滑り落ちにくくなり、保持板１と被覆板３との間にこれら各種の書面やプリント写真などが挟み込み易くなる。
【００３６】
また、テーブルや机などの載置面に、各種の書面やプリント写真などが立て掛けられた状態においては、６０〜８５度の傾斜姿勢となっているので、正面側に倒れにくくなり、使用者は真横ではなく斜め上から、各種の書面やプリント写真などが見易くなる。
【００３７】
次に、図６に示したように、保持板１と被覆板３を上方向にした状態で使用するには、保持板１の上辺部１ａと支持板２の後辺部２ａとを、例えばテーブルや机などの載置面に接触させるようにして、卓上スタンドを載置する。
【００３８】
そして、被覆板３の下辺部３ｃ、または下辺部３ｃの近くの側辺部３ｂに指を掛けて、図７に示したように、この被覆板３を回動させて保持板１から離間させる。
【００３９】
さらに、図１に示したものと同様に、保持板１の表面に各種の書面やプリント写真など載せ、被覆板３を逆に回動させて保持板１と重なり合わせれば、この保持板１と被覆板３との間に各種の書面やプリント写真などを挟み込むことができる。各種の書面やプリント写真などは、被覆板３の自重や前記した遊嵌合によって、被覆板３が保持板１と重なり合った状態を維持することができるので、脱落することなく、保持板１と被覆板３との間に立て掛けておくことができる。
【００４０】
また、この場合にも、保持板１を凸曲面形状とした場合には、保持板１の上に各種の書面やプリント写真などが沿った状態で載せられるので、これらが保持板１から滑り落ちにくくなり、保持板１と被覆板３との間にこれら各種の書面やプリント写真などが挟み込み易くなる。
【００４１】
さらに、テーブルや机などの載置面に、各種の書面やプリント写真などが立て掛けられた状態においては、５〜３０度の傾斜姿勢となっているので、使用者は真上ではなく斜め上から、各種の書面やプリント写真などが見易くなる。
【００４２】
次に、図８に示したように、保持板１と被覆板３を横方向に立てた状態で使用するには、保持板１の側辺部１ｂと支持板２の側辺部２ｂとを、例えばテーブルや机などの載置面に接触させるようにして、卓上スタンドを載置する。
【００４３】
そして、被覆板３の下辺部３ｃ、または下辺部３ｃの近くの側辺部３ｂに指を掛けて、図示はしていないが、この被覆板３を回動させて保持板１から離間させる。
【００４４】
さらに、保持板１の表面に各種の書面やプリント写真など載せ、被覆板３を逆に回動させて保持板１と重なり合わせれば、この保持板１と被覆板３との間に各種の書面やプリント写真などを挟み込むことができる。各種の書面やプリント写真などは、被覆板３の自重や前記した遊嵌合によって、被覆板３が保持板１と重なり合った状態を維持することができるので、脱落することなく、保持板１と被覆板３との間に立て掛けておくことができる。
【００４５】
この場合、テーブルや机などの載置面に、各種の書面やプリント写真などが立て掛けられた状態においては、６０〜８５度の傾斜姿勢となっているので、正面側に倒れにくくなり、使用者は真横ではなく斜め上から、各種の書面やプリント写真などが見易くなる。
【００４６】
以上に述べたように構成されたこの考案の卓上スタンドは、従来のようにスタンド本体を支える脚体を設けたり、またクリアファイル本体に二本の組み立て足を設けたりすることなく、さらにスタンドの背面板部に隣接して直角方向に設けた凹溝内に脚片を設けたりしなくてもよくなるので、構造が複雑なものになることはない。
【００４７】
さらに、この考案の卓上スタンドは、各種の書面やプリント写真などの立て掛け方向に応じて、スタンド本体を支える脚体を組み替えたり、組み立て足や脚片のいずれかを起立させたりする必要がなく、単に立てる方向を変えるだけという簡単な操作で、保持板と被覆板を縦方向、横方向、または上方向にして立てておけるので、各種の書面やプリント写真などを縦方向、横方向、または上方向の何れにも立て掛けることができるものとなる。
【符号の説明】
【００４８】
１  保持板
１ｂ  側辺部
２  支持板
２ｂ  側辺部
３  被覆板
【図１】
0003215068.tif 000003
【図２】
0003215068.tif 000004
【図３】
0003215068.tif 000005
【図４】
0003215068.tif 000006
【図５】
0003215068.tif 000007
【図６】
0003215068.tif 000008
【図７】
0003215068.tif 000009
【図８】
0003215068.tif 000010